(57)【要約】【課題】中芯の１つとしてマーカー中芯を有する出没式筆記具において、出没の際に筆記具の先端を汚さない筆記具を提供する。【解決手段】出没式筆記具１は、先端に開口部３ａを有する軸筒２と、軸筒２内に収納され、開口部３ａから外にペン先１３が出没可能なマーカー中芯１０とを備えている。マーカー中芯１０は、インク組成物を収納するインクタンク１１と、インクタンク１１の先端に取り付けられたペン先１３と、ペン先１３を覆うと共に先端に開口部１４ａを有するカバー１４とを有する。マーカー中芯１０は、出没式筆記具１の非操作時にはペン先１３がカバー１４によって覆われた状態とし、出没式筆記具１の操作時であってペン先１３が軸筒２から外に出る動作の際にカバー１４がペン先１３に対して相対的に後方に移動してペン先１３の先端がカバー１４の開口部１４ａから外に突出するように、構成されている。【選択図】図５
2020179623.tif 000002
【特許請求の範囲】
【請求項１】
先端に第１開口部を有する軸筒と、
前記軸筒内に収納され、前記第１開口部から外にペン先が出没可能な中芯と、
を備えた出没式筆記具であって、
前記中芯は、インク組成物を収納するインク収納部と、前記インク収納部の先端に取り付けられた前記ペン先と、前記ペン先を覆うと共に先端に第２開口部を有するカバーと、を有し、
前記中芯は、前記出没式筆記具の非操作時には前記ペン先が前記カバーによって覆われた状態とし、且つ、前記出没式筆記具の操作時であって前記ペン先が前記軸筒から外に出る動作の際に前記カバーが前記ペン先に対して相対的に後方に移動して前記ペン先の先端が前記カバーの前記第２開口部から外に突出すように、構成されている、出没式筆記具。
【請求項２】
前記中芯は、前記インク収納部と前記カバーとの間に配置される弾性部材を更に有し、前記弾性部材が前記カバーを前記インク収納部に対して前方に付勢する、
請求項１に記載の出没式筆記具。
【請求項３】
前記インク収納部は、後端側の第１収納部と、当該第１収納部よりも外径が小さい先端側の第２収納部とを含んでおり、
前記カバーは、筒形状であり、
前記第１収納部の前端と前記カバーの後端との間であって前記第２収納部の外周に沿うように前記弾性部材が配置されている、
請求項２に記載の出没式筆記具。
【請求項４】
前記カバーには、前記軸筒の軸方向に沿って延びる少なくとも１つのスリットが設けられており、
前記第２収納部には、その外周に少なくとも１つの突起が設けられており、
前記突起が前記スリット内に位置すると共に当該突起が前記スリットに沿って移動することにより、前記インク収納部に対する前記カバーの移動がガイドされる、
請求項３に記載の出没式筆記具。
【請求項５】
前記カバーの内周と前記ペン先の外周との間には隙間が設けられており、当該隙間の径方向に沿った幅が０．５ｍｍ以上である、
請求項１〜４の何れか一項に記載の出没式筆記具。
【請求項６】
前記カバーは、後端側の第１カバー部と、前記第１カバー部よりも外径が小さい先端側の第２カバー部とを含んでいる、
請求項１〜５の何れか一項に記載の出没式筆記具。
【請求項７】
前記ペン先を前記軸筒の前記第１開口部から外に突出させる動作の際、前記カバーの先端が前記軸筒の内周面に沿って前方側に移動することにより、前記ペン先の移動がガイドされる、
請求項１〜６の何れか一項に記載の出没式筆記具。
【請求項８】
前記インク収納部に収納される前記インク組成物は、着色剤、１４０℃以上の沸点を有する水溶性有機溶剤、及び水を含有するインク組成物、又は、着色剤、２５℃において２０Ｐａ以下の飽和蒸気圧を有する水溶性有機溶剤、及び水を含有するインク組成物であって、
前記水溶性有機溶剤の含有量が前記インク組成物の全量を基準として５０質量％以上であり、前記水の含有量が前記インク組成物の全量を基準として５〜４５質量％である、
請求項１〜７の何れか一項に記載の出没式筆記具。
【請求項９】
前記インク組成物は、２５℃において５．０〜３０．０ｍＰａ・ｓの粘度を有する、
請求項８に記載の出没式筆記具。
【請求項１０】
前記水溶性有機溶剤が、グリセリン、エチレングリコール、ジエチレングリコール、トリエチレングリコール、プロピレングリコール、トリエタノールアミン、及び、６００以下の平均分子量を有するポリエチレングリコールからなる群より選択された少なくとも１種を含む、請求項８又は９に記載の出没式筆記具。
【請求項１１】
出没式筆記具に用いられるマーカーリフィルであって、
インク組成物を収納するインク収納部と、
前記インク収納部の先端に取り付けられたペン先と、
前記ペン先を覆うと共にその先端に開口部を有するカバーと、
前記カバーを前記インク収納部に対して前方に付勢する弾性部材と、を備え、
前記マーカーリフィルは、初期状態では前記ペン先が前記カバーによって覆われた状態とし、且つ、前記カバーが前記初期状態から後方に向かって前記弾性部材による付勢力に抗して移動した場合に、前記ペン先が前記カバーの前記開口部から外に突出するように、構成されている、マーカーリフィル。
【請求項１２】
前記インク収納部は、後端側の第１収納部と、当該第１収納部よりも外径が小さい先端側の第２収納部とを含んでおり、
前記カバーは、筒形状であり、
前記第１収納部の前端と前記カバーの後端との間であって前記第２収納部の外周に沿うように前記弾性部材が配置されている、
請求項１１に記載のマーカーリフィル。
【請求項１３】
前記カバーには、当該マーカーリフィルの軸方向に沿って延びる少なくとも１つのスリットが設けられてり、
前記第２収納部には、その外周に少なくとも１つの突起が設けられており、
前記突起が前記スリット内に位置すると共に当該突起が前記スリットに沿って移動することにより、前記インク収納部に対する前記カバーの移動がガイドされる、
請求項１２に記載のマーカーリフィル。
【請求項１４】
前記インク収納部に収納される前記インク組成物は、着色剤、１４０℃以上の沸点を有する水溶性有機溶剤、及び水を含有するインク組成物、又は、着色剤、２５℃において２０Ｐａ以下の飽和蒸気圧を有する水溶性有機溶剤、及び水を含有するインク組成物であって、
前記水溶性有機溶剤の含有量が前記インク組成物の全量を基準として５０質量％以上であり、前記水の含有量が前記インク組成物の全量を基準として５〜４５質量％である、
請求項１１〜１３の何れか一項に記載のマーカーリフィル。
【請求項１５】
前記水溶性有機溶剤が、グリセリン、エチレングリコール、ジエチレングリコール、トリエチレングリコール、プロピレングリコール、トリエタノールアミン、及び、６００以下の平均分子量を有するポリエチレングリコールからなる群より選択された少なくとも１種を含む、請求項１４に記載のマーカーリフィル。

【発明の詳細な説明】
【技術分野】
【０００１】
本発明は、出没式筆記具およびマーカーリフィルに関し、特に軸筒内に複数の中芯（筆記芯ともいう）が収納され、これら中芯から一の中芯を選択的に出没させることができる構成を備えた出没式筆記具および当該出没式筆記具に用いられるマーカーリフィルに関する。
【背景技術】
【０００２】
特許文献１及び特許文献２には、複数の中芯から一の中芯を選択的に出没させることができる出没式筆記具が開示されている。これらの出没式筆記具には主な中芯としてボールペン用中芯やシャープペンシル用中芯等が採用されている。
【先行技術文献】
【特許文献】
【０００３】
【特許文献１】特開２０１６−０６８４９４号公報
【特許文献２】特開２０１６−１６８７４８号公報
【発明の概要】
【発明が解決しようとする課題】
【０００４】
このような出没式筆記具に収納される中芯の１つとして蛍光マーカーやサインペン等のマーカー中芯を採用した場合、マーカー中芯を出没させる際にマーカーのペン先が筆記具の軸筒先端の内周面に接触してしまうことが考えられる（例えば特許文献１の図３及び図４に示す動作を参照）。その結果、マーカー中芯のペン先からのインクにより筆記具先端を汚してしまうことになる。また、このように先端が汚れた筆記具を使用者が衣服のポケットなどに入れてしまうと、その衣服を汚してしまう虞もある。
【０００５】
本発明は、上述した課題を解決するために為されたものであり、中芯の１つとしてマーカー中芯を有する出没式筆記具において、出没の際に筆記具の先端を汚さない出没式筆記具およびそのような出没式筆記具に用いられるマーカーリフィルを提供することを目的とする。
【課題を解決するための手段】
【０００６】
本発明に係る出没式筆記具は、先端に第１開口部を有する軸筒と、軸筒内に収納され、第１開口部から外にペン先が出没可能な中芯と、を備えている。中芯は、インク組成物を収納するインク収納部と、インク収納部の先端に取り付けられたペン先と、ペン先を覆うと共に先端に第２開口部を有するカバーと、を有している。中芯は、出没式筆記具の非操作時にはペン先がカバーによって覆われた状態とし、且つ、出没式筆記具の操作時であっってペン先が軸筒から外に出る動作の際にはカバーがペン先に対して相対的に後方に移動してペン先の先端がカバーの第２開口部から突出するように、構成されている。
【０００７】
上記の出没式筆記具では、非操作時に中芯のペン先を覆うカバーが設けられており、操作時にペン先が軸筒から外に出る動作の際にカバーがペン先に対して相対的に後方に移動してペン先の先端をカバーから突出させるように構成されている。この構成によれば、マーカーの中芯のペン先が軸筒から外に出るまではカバーに覆われることになり、ペン先が軸筒の内周面に接しないことになる。その結果、この出没式筆記具によれば、ペン先の出没の際に出没式筆記具の先端を汚さないようにすることができる。また、このように出没式筆記具の先端を汚さないため、使用者がこの筆記具を衣服等のポケットにしまったとしても衣服を汚さないようにすることができる。
【０００８】
上記の出没式筆記具において、中芯は、インク収納部とカバーとの間に配置される弾性部材を更に有し、弾性部材がカバーをインク収納部に対して前方に付勢することが好ましい。この場合、マーカー中芯が軸筒に収納されている非操作時（初期状態）にペン先をカバーで覆うようにし、マーカーのペン先が軸筒から外に突出する際にペン先をカバーから出すといった動作を簡易な機構により実現することができる。
【０００９】
上記の出没式筆記具において、インク収納部は、後端側の第１収納部と、当該第１収納部よりも外径が小さい先端側の第２収納部とを含み、カバーが筒形状であってもよい。そして、第１収納部の前端とカバーの後端との間であって第２収納部の外周に沿うように弾性部材が配置されていてもよい。この構成によれば、弾性部材を含む中芯の構成をコンパクトなものにすることができ、軸筒を必要以上に大きな形状にせず、出没式筆記具を筆記に適したサイズとすることが可能となる。
【００１０】
上記の出没式筆記具において、カバーには、軸筒の軸方向に沿って延びる少なくとも１つのスリットが設けられており、第２収納部には、その外周に少なくとも１つの突起が設けられていてもよい。そして、突起がスリット内に位置すると共に当該突起がスリットに沿って移動することにより、インク収納部に対するカバーの移動がガイドされることが好ましい。この構成によれば、カバー先端からのペン先の出没動作をより確実なものとして、ペン先による筆記具先端の汚れをカバーによって一層確実に防止することができる。
【００１１】
上記の出没式筆記具において、カバーの内周とペン先の外周との間には隙間が設けられており、隙間の径方向に沿った幅が０．５ｍｍ以上であってもよい。カバー内周とペン先の外周との間の隙間が狭い場合、毛細管現象によりペン先からのインクがその間を伝わってペン先から外に出やすいが、カバー内周とペン先との間の隙間をある程度の幅で設けることにより、このようなペン先からのインク漏れを防止することが可能となる。これにより、カバーの内部にペン先からのインクが貯まってしまい、そのインクにより軸筒の先端を汚してしまうといったことを防止することができる。また、このような隙間があることによりペン先に対するカバーの動きに少し遊びを持たせることができるので、ペン先を軸筒から出没させる際の動作をスムーズにすることも可能となる。
【００１２】
上記の出没式筆記具において、カバーは、後端側の第１カバー部と、第１カバー部よりも外径が小さい先端側の第２カバー部とを含んでいてもよい。この場合、ペン先を覆う機能は維持しつつ、先端側のカバー外周径を小さくすることができるので、軸筒先端により近い位置までペン先をカバーで覆った状態で移動させることが可能となる。その結果、ペン先からのインクによる軸筒内周の汚れをより一層、防止することが可能となる。
【００１３】
上記の出没式筆記具において、ペン先を軸筒の第１開口部から外に突出させる動作の際、カバーの先端が軸筒の内周面に沿って前方側に移動することにより、ペン先の移動がガイドされることが好ましい。この場合、軸筒先端により近い位置までペン先をカバーで覆った状態で移動させることが可能となる。その結果、ペン先からのインクによる軸筒内周の汚れをより一層、防止することが可能となる。
【００１４】
上記の出没式筆記具において、インク収納部に収納されるインク組成物は、着色剤、１４０℃以上の沸点を有する水溶性有機溶剤、及び水を含有するインク組成物であることが好ましい。または、インク収納部に収納されるインク組成物は、着色剤、２５℃において２０Ｐａ以下の飽和蒸気圧を有する水溶性有機溶剤、及び水を含有するインク組成物であることが好ましい。上記何れかのインク組成物において、水溶性有機溶剤の含有量がインク組成物の全量を基準として５０質量％以上であり、水の含有量がインク組成物の全量を基準として５〜４５質量％であってもよい。このようなインク組成物が収納された中芯を備えた出没式筆記具であれば、キャップ等を別途装着したり、又は開口部に開閉蓋のような複雑な機構を設けたりしなくても、長期間、ペン先を外気に曝してもその筆記線を掠れされることなく使用することが可能となる。なお、この出没式筆記具において、インク組成物は、２５℃において５．０〜３０．０ｍＰａ・ｓの粘度を有してもよい。この場合、インク組成物を中綿式のマーカーとして好適に用いることが可能となる。
【００１５】
上記の出没式筆記具において、インク組成物に含まれる水溶性有機溶剤は、グリセリン、エチレングリコール、ジエチレングリコール、トリエチレングリコール、プロピレングリコール、トリエタノールアミン、及び、６００以下の平均分子量を有するポリエチレングリコールからなる群より選択された少なくとも１種を含むことが好ましい。インク組成物が、これらの水溶性有機溶剤を含むことにより、ペン先を長時間空気中に曝露した後であってもカスレのない筆記線の形成が可能な筆記具が一層得られやすくなる。なお、上記インク組成物において、着色剤は、酸性染料、塩基性染料、直接染料、界面活性剤分散型顔料、及び自己分散型顔料からなる群より選択された少なくとも１種を含んでいてもよい。
【００１６】
また、本発明は、別の側面として、出没式筆記具に用いられるマーカーリフィルに関する。このマーカーリフィルは、インク組成物を収納するインク収納部と、インク収納部の先端に取り付けられたペン先と、ペン先を覆うと共にその先端に開口部を有するカバーと、カバーをインク収納部に対して前方に付勢する弾性部材と、を備えている。マーカーリフィルは、初期状態ではペン先がカバーによって覆われた状態とし、且つ、カバーを初期状態から後方に向かって弾性部材による付勢力に抗して移動した場合に、ペン先がカバーの開口部から外に突出するに、構成されている。このマーカーリフィルは、例えば、上述した何れかの出没式筆記具のマーカー中芯のインクがなくなった場合に新たなマーカー中芯に容易に交換することができるものであり、出没式筆記具に装着されることにより、上記と同様の効果を奏し得るものである。
【００１７】
上記のマーカーリフィルでは、インク収納部は、後端側の第１収納部と、当該第１収納部よりも外径が小さい先端側の第２収納部とを含んでおり、カバーは、筒形状であり、第１収納部の前端とカバーの後端との間であって第２収納部の外周に沿うように弾性部材が配置されていてもよい。また、カバーには、当該マーカーリフィルの軸方向に沿って延びる少なくとも１つのスリットが設けられてり、第２収納部には、その外周に少なくとも１つの突起が設けられており、突起がスリット内に位置すると共に当該突起がスリットに沿って移動することにより、インク収納部に対するカバーの移動がガイドされてもよい。上記の場合、上述した出没式筆記具と同様の効果を奏することができる。
【００１８】
上記のマーカーリフィルでは、インク収納部に収納されるインク組成物は、着色剤、１４０℃以上の沸点を有する水溶性有機溶剤、及び水を含有するインク組成物であることが好ましい。または、インク収納部に収納されるインク組成物は、着色剤、２５℃において２０Ｐａ以下の飽和蒸気圧を有する水溶性有機溶剤、及び水を含有するインク組成物であることが好ましい。上記何れかのインク組成物において、水溶性有機溶剤の含有量がインク組成物の全量を基準として５０質量％以上であり、水の含有量がインク組成物の全量を基準として５〜４５質量％であってもよい。この場合も、上述した出没式筆記具と同様の効果を奏することができる。なお、このマーカーリフィルにおいて、インク組成物は、２５℃において５．０〜３０．０ｍＰａ・ｓの粘度を有してもよい。この場合、インク組成物を中綿式のマーカーとして好適に用いることが可能となる。
【００１９】
上記のマーカーリフィルでは、インク組成物に含まれる水溶性有機溶剤は、グリセリン、エチレングリコール、ジエチレングリコール、トリエチレングリコール、プロピレングリコール、トリエタノールアミン、及び、６００以下の平均分子量を有するポリエチレングリコールからなる群より選択された少なくとも１種を含むことが好ましい。インク組成物が、これらの水溶性有機溶剤を含むことにより、ペン先を長時間空気中に曝露した後であってもカスレのない筆記線の形成が可能な筆記具が一層得られやすくなる。なお、上記インク組成物において、着色剤は、酸性染料、塩基性染料、直接染料、界面活性剤分散型顔料、及び自己分散型顔料からなる群より選択された少なくとも１種を含んでいてもよい。
【発明の効果】
【００２０】
本発明によれば、中芯の１つとしてマーカー中芯を有する出没式筆記具において、出没の際に筆記具の先端を汚さない出没式筆記具およびそのような出没式筆記具に用いられるマーカーリフィルを提供することができる。
【図面の簡単な説明】
【００２１】
【図１】図１は、本発明の一実施形態に係る出没式筆記具の内部構造を示す断面図であり、図１の（ａ）は、何れの中芯も突出していない非操作時（初期状態）の断面図であり、図１の（ｂ）は、１つの中芯が軸筒から外に突出している操作時の断面図である。
【図２】図２は、図１に示す出没式筆記具のマーカー中芯を示す斜視図である。
【図３】図３は、図２に示すマーカー中芯の一部品であるカバーを示す斜視図である。
【図４】図４の（ａ）は、図２に示すマーカー中芯の断面図であり、図４の（ｂ）は、マーカー中芯にキャップを嵌めたリフィル製品の断面図である。
【図５】図５は、図１に示す出没式筆記具の先端部分を拡大して示す断面図であり、非操作時の図である。
【図６】図６は、図１に示す出没式筆記具の先端部分を拡大して示す断面図であり、操作時であってマーカー中芯が軸筒から外に突出した状態を示す図である。
【図７】図７は、図１に示す出没式筆記具のマーカー中芯が軸筒から外に突出した状態（操作時）を示す全体断面図である。
【発明を実施するための形態】
【００２２】
以下、図面を参照しつつ、本発明の一実施形態に係る出没式筆記具及び当該出没式筆記具に用いられる交換用のマーカーリフィルについて説明する。以下の説明において、同一要素又は同一機能を有する要素には、同一符号を用いる場合があり、重複する説明は省略する。また、「前／前方」は、軸筒の軸方向の一方側であって出没式筆記具の先端方向を意味し、「後／後方」は、軸筒の軸方向の他方側であって出没式筆記具の先端方向とは逆の後端側を意味する。
【００２３】
図１は、本発明の一実施形態に係る出没式筆記具の内部構造を示す断面図である。図１の（ａ）及び（ｂ）に示すように、出没式筆記具１は、前軸３及び後軸４を含む軸筒２、シャープペン中芯５、ボールペン中芯６、クリップ７、及び、スライド駒８を備えている。出没式筆記具１は、更に、蛍光ペン用のマーカー中芯１０を備えている。マーカー中芯１０の後端には、ノック操作用のスライド駒８の先端が挿入され、スライド駒８と連動するクリップ７を前方（図示の左方向）に移動することにより、マーカー中芯１０が軸筒２（前軸３）の開口部３ａ（第１開口部）から外に突出するように構成されている（図７を参照）。マーカー中芯１０は、ノックが解除されると、軸筒２内の初期位置に戻る（図１の（ａ）を参照）。このようにマーカー中芯１０は、軸筒２から出没可能となっている。なお、軸筒２（後軸４）には、スライド駒８の外周への突起部を露出させる開口が設けられており、当該突起部がその開口内を移動することで、上述した前方及び後方への移動が可能となっている。
【００２４】
出没式筆記具１では、このマーカー中芯１０は、他の中芯であるシャープペン中芯５やボールペン中芯６と共に、軸筒２の円筒形状内に周方向に略均等になるように収納されている。シャープペン中芯５やボールペン中芯６は、マーカー中芯１０と同様に、個別のスライド駒にそれぞれ連結され、各スライド駒を前方に移動することにより、各中芯が軸筒２の先端から外に選択的に突出するように構成されている（図１（ｂ）を参照）。軸筒から突出した各中芯は、マーカー中芯１０と同様に、ノックが解除されると、軸筒２内の初期位置に戻る（図１の（ａ）を参照）。上述した出没機構は、例えば特開平２０１６−０６８４９４号や特開平２０１６−１６８７４８号に記載されている従来の出没機構を用いることができるため、その詳細な説明は省略する。なお、図１に示す出没式筆記具の例では、中芯として、マーカー中芯１０以外にシャープペン中芯５及びボールペン中芯６を軸筒２内に収納して選択的に一の中芯を出没できる構成としているが、マーカー中芯１０と２つのボールペン中芯６（例えば色の異なる中芯）とを軸筒２内に収納する構成でもよく、また、複数のマーカー中芯１０（例えば色の異なる中芯）を軸筒２内に収納する構成でもよく、更に、収納する中芯の数はマーカー中芯１０を含めて２本以上であればよく、３本の中芯に限定されるものではなく４本等でもよい。
【００２５】
次に、図２〜図４を参照して、マーカー中芯１０の詳細な構成について説明する。図２は、図１に示す出没式筆記具１のマーカー中芯１０を示す斜視図である。図３は、マーカー中芯１０の一部品であるカバー１４を示す斜視図である。図４の（ａ）は、マーカー中芯１０の断面図であり、図４の（ｂ）は、マーカー中芯１０にキャップ１７を嵌めたリフィル製品の断面図である。
【００２６】
マーカー中芯１０は、例えば蛍光のマーキングペンとして用いられる中芯であり、インクタンク１１（インク収納部）、中綿１２、ペン先１３、カバー１４、カバースプリング１５（弾性部材）、及び、尾栓１６を備えている。インクタンク１１、中綿１２、ペン先１３、カバー１４、及び、尾栓１６は、所定のプラスチック材料、例えば、ポリプロピレン（ＰＰ）、ポリエステル、ポリアセタール（ＰＯＭ）等から構成される。
【００２７】
インクタンク１１は、円筒形状であり、後端側のメインタンク部１１ａ（第１収納部）と、前端側に位置し、メインタンク部１１ａよりも外径が小さいペン先挿入部１１ｂ（第２収納部）とを含んで構成される。インクタンク１１のメインタンク部１１ａには、その後端に開口が設けられており、その開口から、水性インク等のインク組成物が繊維間に吸蔵された中綿１２を挿入し、中綿１２をその中に収納する。これにより、マーキングペン用のインク組成物がインクタンク１１（メインタンク部１１ａ）内に収納される。インクタンク１１の後端の開口は、中綿１２の挿入後に尾栓１６により密封される。尾栓１６には取付け穴１６ａが設けられており、取付け穴１６ａにスライド駒８の先端が挿入され、スライド駒８の移動に伴ってマーカー中芯１０が前方又は後方に移動する。なお、スライド駒８は、この取付け穴１６ａからマーカー中芯１０を容易に取り外すことができ、これにより、マーカー中芯１０の交換を行えるようになっている。
【００２８】
インクタンク１１の先端側のペン先挿入部１１ｂにはペン先１３が挿入され、ペン先１３がインクタンク１１に取り付けられている。ペン先１３は、インクタンク１１内において、その後端部分が中綿１２内に入り込む位置まで挿入されて、インクタンク１１に対して固定される。ペン先１３は、略円柱形状の芯が軸方向に沿って延在したチップ部材であり、毛細管現象を利用して中綿１２内に吸蔵されたインク組成物をその先端まで移動させ、マーキングペンとしての筆記に使用させる部材である。ペン先１３としては、例えば、先端にＰＯＭ被膜を設けたコートチップを用いることができる。
【００２９】
ペン先１３の外側にはカバー１４が配置されている。カバー１４は、略円筒形状であり、出没式筆記具１のマーカー中芯１０を外に突出させる操作が行われていない非操作時（初期状態）において、ペン先１３の外側に配置されて、ペン先１３のうちインクタンク１１から前方に露出している部分（先端部分）を略完全に覆う。また、カバー１４の先端には開口部１４ａ（第２開口部）が設けられており、後述するように、軸筒２内においてマーカー中芯１０が前方に移動するように操作された際に、ペン先１３の先端部分が開口部１４ａから外に突出できるように構成されている。マーカー中芯１０は、軸筒２への収納された非操作時にはペン先１３がカバー１４によって覆われており、ペン先１３が軸筒２の開口部３ａから外に出る際にはカバー１４がペン先１３に対して相対的に後方に移動してペン先１３の先端をカバー１４の開口部１４ａから突出させるように構成されている。
【００３０】
また、カバー１４は、後端側の大径部１４ｂ（第１カバー部）と、大径部１４ｂよりも外径が小さい小径部１４ｃ（第２カバー部）とを有している。ペン先１３は、カバー１４の大径部１４ｂから小径部１４ｃにわたって覆われている。カバー１４には、周方向において略逆側になる位置に一対のスリット１４ｄが設けられている。スリット１４ｄからは内部のペン先１３の一部を視認することができる。また、各スリット１４ｄには、その後端に接するように、インクタンク１１のペン先挿入部１１ｂの外周に設けられた一対の突起１１ｃが位置している。カバー１４（大径部１４ｂ）の内周とペン先１３の外周との間には隙間Ｓが設けられている（図４の（ａ）を参照）。隙間Ｓの径方向に沿った幅は、例えば０．５ｍｍ以上になっており、両者の間に十分な大きさの隙間が形成されている。
【００３１】
カバー１４の後端とインクタンク１１のメインタンク部１１ａの前端との間には、カバースプリング１５が配置されている。カバースプリング１５は、インクタンク１１のペン先挿入部１１ｂの外周に位置する。カバースプリング１５は、メインタンク部１１ａを基準としてカバー１４を前方に付勢する。マーカー中芯１０では、カバー１４がスリット１４ｄ内に位置する突起１１ｃによって更に前方に移動できないように構成されていることから、カバースプリング１５がカバー１４を前方に付勢した状態で、上述した位置に配置されている。カバースプリング１５は、マーカー中芯１０が前方に移動する際、即ち、ペン先１３が軸筒２の開口部３ａから外に突出する動作を行う際、カバー１４がペン先１３に対して相対的に後方に移動することに伴って圧縮される。圧縮されたカバースプリング１５は、ノックが解除されると、カバー１４がペン先１３を覆うように現状復帰させる。
【００３２】
なお、図４の（ｂ）は、上記構成のマーカー中芯１０と略同様の構成を備えたマーカーリフィル１０ａの断面を示している。即ち、マーカーリフィル１０ａは、マーカー中芯１０と同様に、インクタンク１１、中綿１２、ペン先１３、カバー１４、カバースプリング１５、及び、尾栓１６を備えており、出没式筆記具１におけるマーカー中芯１０に収納されたインク組成物が使い終わった後、当該中芯を交換するためのリフィル製品である。図４の（ｂ）では、マーカーリフィル１０ａは、インクの乾燥防止のため、キャップ１７を更に備える構成となっているが、乾燥防止機能を備えたインク組成物を用いた場合には、キャップ１７を備えなくてもよい。また、マーカーリフィル１０ａをプラスティックフィルム等によって個別に包装するような場合にもキャップ１７を備えなくてもよい。
【００３３】
続いて、上記構成を備えたマーカー中芯１０を備えた出没式筆記具１において、マーカー中芯１０のペン先１３を軸筒２から外に出す操作を行う際の各構成の動作について、図５〜図７を参照して説明する。図５は、出没式筆記具１の先端部分を拡大して示す断面図であり、非操作時の図である。図６は、出没式筆記具１の先端部分を拡大して示す断面図であり、操作時であってマーカー中芯１０が軸筒２から外に突出した状態を示す図である。図７は、出没式筆記具１のマーカー中芯１０が軸筒２から外に突出した状態（操作時）を示す全体断面図である。
【００３４】
まず、図５に示すように、マーカー中芯１０を外に出す操作前の状態（非操作時）では、マーカー中芯１０のペン先１３はカバー１４によって完全に覆われている。その後、マーカー中芯１０を軸筒２の開口部３ａから外に出す動作を行おうとすると、まず、マーカー中芯１０が非操作時の状態のままでそのまま前方に移動する。そして、マーカー中芯１０の先端、即ちカバー１４の小径部１４ｃの先端が軸筒２の前軸３の内周面３ｂに接触する。その後、マーカー中芯１０を更に前方に移動させると、小径部１４ｃの先端が内周面３ｂを伝ってガイドされ、開口部３ａまで移動する。
【００３５】
開口部３ａの内径は、小径部１４ｃの外径よりも小さいため、ここで小径部１４ｃの移動が制限される。この制限箇所からマーカー中芯１０を更に前方に移動させると、図６及び図７に示すように、ペン先１３に対してカバー１４が相対的に後方に移動、即ちペン先１３がカバー１４に対して前方に移動して、ペン先１３の先端がカバー１４の小径部１４ｃに設けた開口部１４ａ及び軸筒２の開口部３ａを順に通過して、軸筒２の外に突出する。この際、カバースプリング１５は圧縮される。その後、所定の筆記作業が終了してノックが解除されると、カバースプリング１５の圧縮力により突出動作と逆の動きをして、マーカー中芯１０は初期状態に復帰する。
【００３６】
以上、本実施形態に係る出没式筆記具１によれば、非操作時にマーカー中芯１０のペン先１３を覆うカバー１４が設けられており、操作時にペン先１３が軸筒２から外に出る動作の際にカバー１４がペン先１３に対して相対的に後方に移動してペン先１３の先端をカバーから突出させるように構成されている。このため、マーカー中芯１０のペン先１３が軸筒２から外に出るまではカバー１４に略覆われることになり、ペン先１３が軸筒２の内周面３ｂに接しないことになる。その結果、出没式筆記具１によれば、ペン先１３の出没の際に出没式筆記具１の先端を汚さないようにすることができる。また、このように出没式筆記具１の先端を汚さないため、使用者がこの筆記具を衣服等のポケットにしまったとしても衣服を汚さないようにすることができる。
【００３７】
また、出没式筆記具１では、マーカー中芯１０は、インクタンク１１とカバー１４との間に配置されるカバースプリング１５を更に有し、カバースプリング１５がカバー１４をインクタンク１１に対して前方に付勢している。このため、マーカー中芯１０が軸筒２に収納されている非操作時（初期状態）にペン先１３をカバー１４で覆うようにし、マーカー中芯１０のペン先１３が軸筒２から外に突出する際にペン先１３をカバー１４から出す（つまりカバー１４をペン先に対して後方に移動させる）といった動作を簡易な機構により実現することができる。
【００３８】
また、出没式筆記具１では、インクタンク１１は、後端側のメインタンク部１１ａと、メインタンク部１１ａよりも外径が小さい先端側のペン先挿入部１１ｂとを含み、カバー１４が円筒形状であってもよい。そして、メインタンク部１１ａの前端とカバー１４の後端との間であってペン先挿入部１１ｂの外周に沿うようにカバースプリング１５が配置されている。このため、カバースプリング１５を含むマーカー中芯１０の構成をコンパクトなものにすることができ、軸筒２を必要以上に大きな形状にせず、出没式筆記具１を筆記に適したサイズとすることが可能となる。
【００３９】
また、出没式筆記具１では、カバー１４には、軸筒２の軸方向に沿って延びる一対のスリット１４ｄが設けられており、ペン先挿入部１１ｂには、その外周に一対の突起１１ｃが設けられている。そして、各突起１１ｃが各スリット１４ｄ内に位置すると共に突起１１ｃがスリット１４ｄに沿って移動することにより、インクタンク１１に対するカバー１４の移動がガイドされる。この構成によれば、カバー１４の先端からのペン先１３の出没動作をより確実なものとして、ペン先１３による筆記具先端の汚れをカバー１４によって一層確実に防止することができる。
【００４０】
また、出没式筆記具１では、カバー１４の内周とペン先１３の外周との間に隙間Ｓが設けられており、隙間Ｓの径方向に沿った幅が０．５ｍｍ以上であってもよい。カバー１４の内周とペン先１３の外周との間の隙間Ｓが狭い場合、毛細管現象によりペン先１３からのインクがその間を伝わってペン先１３から外に出やすいが、カバー１４の内周とペン先１３との間の隙間Ｓをある程度の幅で設けることにより、このようなペン先１３からのインク漏れを防止することが可能となる。これにより、カバー１４の内部にペン先１３からのインクが貯まってしまい、そのインクにより軸筒２の先端を汚してしまうといったことを防止することができる。また、このような隙間Ｓがあることによりペン先１３に対するカバー１４の動きに少し遊びを持たせることができるので、ペン先１３を軸筒２から出没させる際の動作をスムーズにすることも可能となる。
【００４１】
また、出没式筆記具１では、カバー１４は、後端側の大径部１４ｂと、大径部１４ｂよりも外径が小さい先端側の小径部１４ｃとを含んでいる。このため、ペン先１３を覆う機能は維持しつつ先端側のカバー１４の外周径を小さくし、これにより、軸筒２の先端により近い位置までペン先１３をカバー１４で覆った状態で移動させることが可能となる。その結果、ペン先１３からのインクによる軸筒２の内周面３ｂの汚れをより一層、防止することが可能となる。
【００４２】
また、出没式筆記具１では、ペン先１３を軸筒２の開口部３ａから外に突出させる動作の際、カバー１４の先端が軸筒２の内周面２ｂに沿って前方側に移動することにより、ペン先１３の移動がガイドされることが好ましい。この場合、軸筒２の先端により近い位置までペン先１３をカバー１４で覆った状態で移動させることが可能となる。その結果、ペン先１３からのインクによる軸筒２の内周面２ｂの汚れをより一層、防止することが可能となる。
【００４３】
以上、本発明の実施形態について詳細に説明してきたが、本発明は上記実施形態に限定されるものではなく様々な実施形態に適用することができる。例えば、上記実施形態では、中綿式マーキングペンを例にとって説明したが、直液式マーキングペンに本発明を適用してもよい。また、上記実施形態ではインクタンク１１に収納されるインクが一般的な蛍光ペン用インクである例をとって説明してきたが、長期的なマーカーの掠れを防止するため、インク組成物を以下のような組成のものとしてもよい。これにより、出没式筆記具１のインク組成物を長期にわたって掠れないものすることができ、先端にキャップ等を設ける必要がなくなる。
【００４４】
ここで、上述した出没式筆記具１に用いられる水性インクのインク組成物の変形例について説明する。この変形例に係るインク組成物としては、着色剤、１４０℃以上の沸点を有する水溶性有機溶剤、及び水を含有するインク組成物を用いることができる。ここでいう沸点は１気圧（１０１３２５Ｐａ）における通常沸点を指す。また、水溶性有機溶剤とは、２０℃における水への溶解度が例えば１５g／１００ｍＬ以上、好ましくは３０g／１００ｍＬ以上である有機溶剤である。なお、上記インク組成物は、１４０℃以上の沸点を有する水溶性有機溶剤に代えて、２５℃において２０Ｐａ以下の飽和蒸気圧を有する水溶性有機溶剤を含有していてもよい。
【００４５】
上記水溶性有機溶剤は、アルコール又はそのアルキルエーテルであることが好ましい。上記アルコールは、多価アルコールであることが好ましく、２価アルコール又は３価アルコールであることがより好ましい。上記水溶性有機溶剤としては、例えば、エチレングリコール、プロピレングリコール、グリセリン、ポリエチレングリコール（ＰＥＧ）、ジエチレングリコール、トリエタノールアミン、１，３−ブチレングリコール、トリエチレングリコールモノブチルエーテル、ジエチレングリコールモノイソプロピルエーテル、ジエチレングリコールモノイソブチルエーテル、ジエチレングリコールモノブチルエーテル、ジエチレングリコールモノブチルエーテル、ジエチレングリコールモノメチルエーテル、トリエチレングリコールモノメチルエーテル、ポリオキシアルキレンエーテル、ジプロピレングリコールモノメチルエーテル、ポリオキシアルキレンアルキルエーテル、ジメチルトリグリコール、Ｎ−エチルジエタノールアミン、モノ−ｎ−ブチルジエタノールアミン、ポリプロピレングリコール、トリエチレングリコール、及び、コハク酸ビスエトキシジグリコール等が挙げられる。これらの水溶性有機溶剤は、単独又は２種以上を混合して使用することができる。
【００４６】
上記水溶性有機溶剤は、グリセリン、エチレングリコール、ジエチレングリコール、トリエチレングリコール、プロピレングリコール、トリエタノールアミン、及び、６００以下の平均分子量を有するポリエチレングリコールからなる群より選択された少なくとも１種を含むことが好ましい。インク組成物が上記水溶性有機溶剤を含むことにより、ペン先を長時間空気中に曝露した後であってもカスレのない筆記線の形成が可能な筆記具が一層得られやすくなる。なお、上記ポリエチレングリコールの平均分子量は１５０以上であることが好ましい。いくつかの溶媒の沸点及び蒸気圧を下記表１にまとめる。表１中の「ＰＥＧ２００」は平均分子量１８０〜２２０のポリエチレングリコールである。
【００４７】
【表１】
2020179623.tif 000003
【００４８】
本変形例に係るインク組成物は、水溶性有機溶剤として２価アルコール及び３価アルコールの両方を含有することが好ましく、さらに、３価アルコールとしてグリセリンを含むことがより好ましい。インク組成物がグリセリンを含むことにより、さらに、浸透面への筆記線の裏抜けを抑制できる傾向がある。
【００４９】
インク組成物がグリセリンを含むと、粘度が特に高くなる傾向があり、直液式の筆記具においては問題がないが、中綿式の筆記具における好適な粘度範囲を外れる可能性がある。しかし、インク組成物がグリセリンと併せて２価アルコールを含むことにより、グリセリンによる裏抜け抑制効果を得つつ、中綿式の筆記具に適したインク組成物の粘度とすることができる。このような２価アルコールとして、エチレングリコールを用いることが好ましい。インク組成物が上記混合溶剤を含む場合、水溶性有機溶剤全量に対する、グリセリンの含有量は７０質量％以下であることが好ましく、５０質量％以下であることがより好ましく、３０質量％以下であることがさらに好ましい。また、水溶性有機溶剤全量に対する、グリセリンの含有量は５質量％以上であることが好ましく、１０質量％以上であることがより好ましい。なお、水溶性有機溶剤全量に対するグリセリンの含有量は３０質量％以上であってもよく、５０質量％以上であってもよく、７０質量％以上であってもよい。
【００５０】
本変形例に係るインク組成物において、上記水溶性有機溶剤の含有量は、インク組成物の全量を基準として、５０質量％以上であり、好ましくは６０質量％以上であり、より好ましくは７０質量％以上である。インク組成物が上記水溶性有機溶剤を５０質量％以上含有することにより、ペン先を長時間空気中に曝露した後であってもカスレのない筆記線の形成が可能な筆記具を得ることができる。上記水溶性有機溶剤の含有量は、例えば、インク組成物の全量を基準として、９０質量％以下であることができる。
【００５１】
本変形例に係るインク組成物は水を含有し、水の含有量は、インク組成物の全量を基準として、５〜４５質量％であり、好ましくは５〜４０質量％であり、より好ましくは５〜３５質量％であり、さらに好ましくは５〜２５質量％である。本実施形態に係るインク組成物は吸湿性を有する水溶性有機溶剤を５０質量％以上含有し、筆記具中のインク組成物が吸湿するとインク漏れが発生する可能性がある。吸湿性によるインク漏れの問題は水溶性有機溶剤としてエチレングリコール又はグリセリン等、特にエチレングリコールを用いたときに顕著である。しかし、インク組成物に水を５質量％以上含有させておくことにより、その後の吸湿を抑制し、長期間に亘ってインク漏れの発生を抑制することができる。また、水の含有量が４５質量％以下であることにより、ペン先を長時間外気に曝露した後であってもカスレのない筆記線の形成が可能な筆記具を得やすくなる。
【００５２】
なお、水溶性有機溶剤全量に対するグリセリンの含有量が７０質量％以上である場合、水の含有量は、インク組成物の全量を基準として、３５〜４５質量％であることが好ましい。インク組成物が水を３５質量％以上含有することにより、グリセリン含有量が大きい場合であっても、インク組成物の粘度の増加を抑えることができ、マーキングペンにおけるインク組成物の排出がしやすくなる。
【００５３】
本変形例に係るインク組成物において、着色剤は、酸性染料、塩基性染料、直接染料、界面活性剤分散型顔料、及び自己分散型顔料からなる群より選択された少なくとも１種を含むことができる。着色剤の含有量は、インク組成物の全量を基準として、例えば、０．５〜５．０質量％であることができる。
【００５４】
本変形例に係るインク組成物は、本実施形態で得られる効果を損なわない範囲で、上記成分に加えて、上記水溶性有機溶剤及び水以外の溶剤、防腐剤、ｐＨ調整剤、増粘剤、防腐剤（防黴剤）、潤滑剤、及び界面活性剤等の添加剤を含有していてもよい。上記インク組成物は、樹脂を含有しないことが好ましい。また、不揮発分は、上記インク組成物の全量を基準として、０．１〜１０質量％であることが好ましく、０．１〜５．０質量％であることがより好ましい。インク組成物が樹脂を含有しないことにより、又は、不揮発分が１０質量％以下であることにより、ペン先を長時間空気中に曝露した後であってもカスレのない筆記線の形成が可能な筆記具を得やすくなる。
【００５５】
本変形例に係るインク組成物の粘度は、例えばインク組成物を中綿式マーキングペンに用いる場合には、２５℃において、５．０〜３０．０ｍＰａ・ｓであることが好ましい。また、上記粘度は、インク組成物を直液式マーキングペンに用いる場合には、２５℃において、５．０〜１００．０ｍＰａ・ｓであることが好ましい。
【００５６】
本変形例のインク組成物は、上記水溶性有機溶剤、着色剤及び水、必要に応じて添加剤を、例えば、ディゾルバー、ヘンシェルミキサー及びホモミキサーなどの攪拌機を用いて混合することにより得られる。攪拌機の攪拌条件は特に制限されないが、たとえば、ディゾルバー攪拌機を用いて、回転数１００〜１０００ｒｐｍで３０〜１８０分間攪拌することにより、各成分が均一に分散したインク組成物を得ることができる。
【符号の説明】
【００５７】
１…出没式筆記具、２…軸筒、３…前軸、３ａ…開口部（第１開口部）、３ｂ…内周面、４…後軸、７…クリップ、８…スライド駒、１０…マーカー中芯、１０ａ…マーカーリフィル、１１…インクタンク（インク収納部）、１１ａ…メインタンク部（第１収納部）、１１ｂ…ペン先挿入部（第２収納部）、１２…中綿、１３…ペン先、１４…カバー、１４ａ…開口部（第２開口部）、１４ｂ…大径部（第１カバー部）、１４ｃ…小径部（第２カバー部）、１４ｄ…スリット、１５…カバースプリング（弾性部材）。
【図１】
2020179623.tif 000004
【図２】
2020179623.tif 000005
【図３】
2020179623.tif 000006
【図４】
2020179623.tif 000007
【図５】
2020179623.tif 000008
【図６】
2020179623.tif 000009
【図７】
2020179623.tif 000010